(57)【要約】【課題】  給熱することのない遮熱効果の高い保温養生であって、寒中コンクリートに対して外からの冷気を遮断するとともに外気への熱移動を抑制し、型枠内部のコンクリート水和熱により養生を行うことができる寒中コンクリートの遮熱養生工法および遮熱養生シートを提供すること。【解決手段】  寒中コンクリートを養生する方法であって、打設したコンクリート２の表面に配設された型枠３の表面に、少なくとも空気層11ａを内部に有する気泡プラスチックシート11の両面に金属薄膜層12・12が一体に挟着してなる遮熱養生シート１を被覆することによって、コンクリート２の水和熱の放射を軽減して、かつ、外気の冷気を遮断するという技術的手段を採用した。【選択図】  図４
2013174047.tif 000002
【特許請求の範囲】
【請求項１】
寒中コンクリートを養生する方法であって、
打設したコンクリート（２）の表面に配設された型枠（３）の表面に、少なくとも空気層（11ａ）を内部に有する気泡プラスチックシート（11）の両面に金属薄膜層（12・12）が一体に挟着してなる遮熱養生シート（１）を被覆することによって、コンクリート（２）の水和熱の放射を軽減して、かつ、外気の冷気を遮断することを特徴とする寒中コンクリートの遮熱養生工法。
【請求項２】
寒中コンクリートの天端部を養生する方法であって、
打設したコンクリート（２）の表面に配設された養生シート（４）の表面に、少なくとも空気層（11ａ）を内部に有する気泡プラスチックシート（11）の両面に金属薄膜層（12・12）が一体に挟着してなる遮熱養生シート（１）を被覆することによって、コンクリート（２）の水和熱の放射を軽減し、かつ、外気の冷気を遮断することを特徴とする寒中コンクリートの遮熱養生工法。
【請求項３】
遮熱養生シート（１）の表面にポリエチレンラミネートクロスシート（５）を被覆することを特徴とする請求項１または２記載の寒中コンクリートの遮熱養生工法。
【請求項４】
コンクリート（２）にＡＥ減水剤を混入することを特徴とする請求項１〜３の何れか一つに記載の寒中コンクリートの遮熱養生工法。
【請求項５】
日平均気温が４℃以下になる屋外で施工することを特徴とする請求項１〜４の何れか一つに記載の寒中コンクリートの遮熱養生工法。
【請求項６】
少なくとも空気層（11ａ）を内部に有する気泡プラスチックシート（11）の両面に金属薄膜層（12・12）を一体に挟着してなることを特徴とする寒中コンクリートの遮熱養生シート。
【請求項７】
気泡プラスチックシート（11）の空気層（11ａ）が、エアセルラー（Ａ・Ａ…）による気泡を有するプラスチック製シートを複数積層して構成されていることを特徴とする請求項６記載の寒中コンクリートの遮熱養生シート。
【請求項８】
金属薄膜層（12）が９９重量部以上の高純度アルミニウム製であることを特徴とする請求項６または７記載の寒中コンクリートの遮熱養生シート。
【発明の詳細な説明】
【技術分野】
【０００１】
本発明は、コンクリート養生技術の改良、更に詳しくは、給熱することのない遮熱効果の高い保温養生であって、寒中コンクリートに対して外からの冷気を遮断するとともに外気への熱移動を抑制し、型枠内部のコンクリート水和熱により養生を行うことができる寒中コンクリートの遮熱養生工法および遮熱養生シートに関するものである。
【背景技術】
【０００２】
周知のとおり、コンクリートを打設した後には養生を行う必要があり、特に、冬季などの日平均気温が４℃以下での「寒中コンクリート」の場合にあっては、養生期間が余計にかかったり、気温が低すぎると硬化のための水和反応が止まってしまうおそれがある。
【０００３】
従来、かかる寒中コンクリートの養生については、コンクリート表面温度が下がらないようにする必要があり、この養生方法は、保温養生と給熱養生に分類され、保温養生は断熱性の高い材料でコンクリートの周囲を覆い、セメントの水和熱を利用して所定の強度が得られるまで保温するものであり、給熱養生は保温のみでは養生湿度を確保できないときおよびコンクリートが凍結の危険があるときに給熱により養生するものである（例えば、特許文献１参照）。
【０００４】
従来の給熱養生工法は、ジェットヒーターや練炭を使用するため、多くの資源を必要とする問題があった。また、保温養生にあっても、ポリエチレンラミネートクロスシート（所謂「ブルーシート」）を被覆するだけのことが多く、寒中では十分な保温効果が得られなかった。
【先行技術文献】
【特許文献】
【０００５】
【特許文献１】特開２００１−２８８８９５号公報
【発明の概要】
【発明が解決しようとする課題】
【０００６】
本発明は、従来の工法に上記のような問題があったことに鑑みて為されたものであり、その目的とするところは、給熱することのない遮熱効果の高い保温養生であって、寒中コンクリートに対して外からの冷気を遮断するとともに外気への熱移動を抑制し、型枠内部のコンクリート水和熱により養生を行うことができる寒中コンクリートの遮熱養生工法および遮熱養生シートを提供することにある。
【課題を解決するための手段】
【０００７】
本発明者が上記技術的課題を解決するために採用した手段を、添付図面を参照して説明すれば、次のとおりである。
【０００８】
即ち、本発明は、寒中コンクリートを養生する方法であって、
打設したコンクリート２の表面に配設された型枠３の表面に、少なくとも空気層11ａを内部に有する気泡プラスチックシート11の両面に金属薄膜層12・12が一体に挟着してなる遮熱養生シート１を被覆することによって、コンクリート２の水和熱の放射を軽減して、かつ、外気の冷気を遮断するという技術的手段を採用したことによって、寒中コンクリートの遮熱養生工法を完成させた。
【０００９】
また、本発明は、寒中コンクリートの天端部を養生する方法であって、
打設したコンクリート２の表面に配設された養生シート４の表面に、少なくとも空気層11ａを内部に有する気泡プラスチックシート11の両面に金属薄膜層12・12が一体に挟着してなる遮熱養生シート１を被覆することによって、コンクリート２の水和熱の放射を軽減し、かつ、外気の冷気を遮断するという技術的手段を採用したことによっても、寒中コンクリートの遮熱養生工法を完成させることができる。
【００１０】
また、本発明は、上記課題を解決するために、必要に応じて上記手段に加え、遮熱養生シート１の表面にポリエチレンラミネートクロスシート５を被覆するという技術的手段を採用することができる。
【００１１】
更にまた、本発明は、上記課題を解決するために、必要に応じて上記手段に加え、コンクリート２にＡＥ減水剤を混入するという技術的手段を採用することができる。
【００１２】
更にまた、本発明は、上記課題を解決するために、必要に応じて上記手段に加え、日平均気温が４℃以下になる屋外で施工するという技術的手段を採用することができる。
【００１３】
また、本発明は、少なくとも空気層11ａを内部に有する気泡プラスチックシート11の両面に金属薄膜層12・12を一体に挟着してなるようにするという技術的手段を採用することによって、寒中コンクリートの遮熱養生シートを完成させた。
【００１４】
また、本発明は、上記課題を解決するために、必要に応じて上記手段に加え、気泡プラスチックシート11の空気層11ａを、エアセルラーＡ・Ａ…による気泡を有するプラスチック製シートを複数積層して構成するという技術的手段を採用することができる。
【００１５】
更にまた、本発明は、上記課題を解決するために、必要に応じて上記手段に加え、金属薄膜層12を９９重量部以上の高純度アルミニウム製にするという技術的手段を採用することができる。
【発明の効果】
【００１６】
本発明にあっては、寒中コンクリートを養生するにあたり、打設したコンクリートの表面に配設された型枠または養生シートの表面に、少なくとも空気層を内部に有する気泡プラスチックシートの両面に金属薄膜層が一体に挟着してなる遮熱養生シートを被覆することによって、コンクリートの水和熱の放射を軽減して、かつ、外気の冷気を遮断することができる。
【００１７】
したがって、本発明の養生工法によれば、給熱することのない遮熱効果の高い保温養生であって、寒中コンクリートにおける外からの冷気を遮断するとともに外気への熱移動を抑制し、型枠内部のコンクリート水和熱により養生を行うことができる。
【００１８】
また、コンクリートの内部温度と表面温度との差を低減させることにより温度応力を抑制した水和発熱収縮時の温度降下勾配を緩くし、長時間温度が下がらない。更にまた、ジェットヒーターや練炭による給熱養生を行わないため、化石燃料を削減することができる。
【００１９】
更にまた、燃焼による一酸化炭素中毒を防止し、安全性を向上させることができ、省資源、省エネルギーを実現することができる。また、二酸化炭素の削減による地球温暖化の防止に貢献することができる。そして、機械の故障や燃料切れなど不測の事態による危機を回避することもできる。
【００２０】
更にまた、遮熱効果の高い遮熱養生シートの高純度の金属薄膜層（アルミニウム箔）表面部で輻射熱を反射し、コンクリートから外気への熱移動を抑制することができる。金属薄膜層に挟持された（好ましくは２層以上の複合）気泡シート構造のシートによる移動しない静止空気層により、断熱効果が向上する。
【００２１】
このように、コンクリート品質の確保、環境負荷の軽減、省資源・省エネルギー化の向上が期待できることから、産業上の利用価値は頗る大きいと云える。
【図面の簡単な説明】
【００２２】
【図１】本発明の実施形態の遮熱養生シートの構造を表わす説明断面図である。
【図２】本発明の実施形態の遮熱養生シートの変形例の構造を表わす説明断面図である。
【図３】本発明の実施形態の遮熱養生シートの変形例の構造を表わす説明断面図である。
【図４】本発明の実施形態の寒中コンクリートの遮熱養生工法の施工状態を表わす概略図である。
【図５】本発明の実施形態の寒中コンクリートの遮熱養生工法の施工状態を表わす拡大図である。
【図６】本発明の実施形態の寒中コンクリートの遮熱養生工法におけるコンクリート温度記録を表わすグラフである。
【図７】本発明の実施形態の寒中コンクリートの遮熱養生工法におけるコンクリート温度記録を表わすグラフである。
【図８】本発明の実施形態の寒中コンクリートの遮熱養生工法におけるコンクリート温度記録を表わすグラフである。
【図９】本発明の実施形態の寒中コンクリートの遮熱養生工法におけるコンクリート温度記録を表わすグラフである。
【発明を実施するための形態】
【００２３】
本発明を実施するための形態を、具体的に図示した図面に基づいて、更に詳細に説明すると、次のとおりである。
【００２４】
本発明の実施形態を図１から図９に基づいて説明する。図中、符号１で指示するものは遮熱養生シートであり、この遮熱養生シート１は、少なくとも空気層11ａを内部に有する気泡プラスチックシート11の両面に金属薄膜層12・12が一体に挟着してなる。
【００２５】
本実施形態では、気泡プラスチックシート11の空気層11ａを、エアセルラーＡ・Ａ…による気泡を有するプラスチック製（例えばポリエチレン）シートを複数（本実施形態では２枚）積層して構成することができ（図１参照）、より高い断熱効果を得ることができる。
【００２６】
なお、図２に示すように、エアセルラーＡ・Ａ…による気泡を有するプラスチック製シート間に、発泡樹脂（ポリエチレン）シートを更に挟持したものでも良いし、図３に示すように、熱可塑性樹脂を押出成形してなる空気層11ａを有するパネル材（例えば「プラスチック段ボール」）を挟持して構成することもできる。
【００２７】
また、本実施形態では、金属薄膜層12を９９重量部以上の高純度アルミニウム製にすることができる。
【００２８】
金属薄膜層12の成分は例えば以下のとおりである。
成分および含有量：ＪＩＳ  Ｈ  ４１６０  合金番号１Ｎ３０
「成分」      「ＣＡＳ  Ｎｏ」    「化学式」    「含有量ｗｔｇ」
アルミニウム  ７４２９−９０−５      Ａｌ        ９９．３０以上
ケイ素        ７４４０−２１−３      Ｓｉ        Ｓｉ＋Ｆｅ０．７以上
鉄            ７４３９−８９−６      Ｆｅ        
銅            ７４４０−５０−８      Ｃｕ        ０．１０以下
マンガン      ７４３９−９６−５      Ｍｎ        ０．０５以下
マグネシウム  ７４３９−９５−４      Ｍｇ        ０．０５以下
亜鉛          ７４４０−６６−６      Ｚｎ        ０．０５以下
その他                                            ０．０３以下
【００２９】
＜養生工法について＞
本実施形態の寒中コンクリートを養生する方法について以下に説明する。本実施形態における寒中コンクリートは、日平均気温が４℃以下になる屋外で施工するものをいう。
【００３０】
まず、コンクリート２を常法にしたがって型枠等を組んで打設する。この際、適宜、コンクリート２にＡＥ（Air-Entraining）減水剤を混入することができる。
【００３１】
そして、このコンクリート２の表面に配設された型枠３の表面に、前記遮熱養生シート１を被覆する。また、本実施形態では、必要に応じて、遮熱養生シート１の表面にポリエチレンラミネートクロスシート５（所謂「ブルーシート」）を被覆することができる（図４および図５参照）。
【００３２】
こうすることによって、金属薄膜層12が輻射熱を反射するとともに、空気層11ａ内の空気の低熱伝導により、コンクリート２の水和熱の放射を軽減して、かつ、外気の冷気を遮断することができる。
【００３３】
なお、本実施形態において、寒中コンクリートの天端部を養生するにあっては、前記型枠３が不要であるため、打設したコンクリート２の表面に配設された養生シート４の表面に、遮熱養生シート１を被覆することができる。
【００３４】
本実施形態における具体的な施工手順は以下のとおりである。
（１）準備工（材料手配、養生計画）
（２）コンクリートを打設する
（３）普通養生シートを敷設し、散水を行う
（４）普通養生シート上および型枠設置面外側に遮熱養生シートを設置する
この際、遮熱養生シートが直接コンクリートに接しないように設置する。土嚢袋、足場板等の重しを置いたり端部を型枠に固定するなどして風による飛散防止対策を講じる。隣接部との重ね合わせは、アルミテープにより隣接部と接着・固定できる場合は「突合せ」とし、それ以外の場合は重なり代を１０ｃｍ以上設けるようにする。
（５）所定の養生期間の養生を行い、遮熱養生シートを撤去する
（６）必要に応じて、型枠脱型後のコンクリート養生としても用いることもできる
（７）遮熱養生シートは次の施工箇所に転用する
【００３５】
次に、図６〜図９に、本実施形態の養生工法を施工した任意の４地点におけるコンクリート温度の記録を示す。試験条件は、鋼製型枠を用いたコンクリート打設時に温度センサー（「おんどとり」ティアンドデイ社製）を、コンクリート表面部に設置し温度を計測する。コンクリート温度の測定位置は、面中央部のコンクリート表面から２０ｍｍセンサーを挿入し測定する。
【００３６】
計測した温度は、データロガーに１時間毎に記録して適宜データを回収する。また試験箇所の外気温も同様に計測していく。判定方法として、寒中コンクリートの場合、養生期間中のコンクリート温度を５℃以上、その後２日間は０℃以上に保つ必要がある。
【００３７】
得られた試験結果よれば、熱伝導率の非常に高い鋼製型枠ではあるが、養生期間中のコンクリート温度は、５℃を下回ることなく養生を行うことができた。
【００３８】
本発明は、概ね上記のように構成されるが、図示の実施形態に限定されるものでは決してなく、「特許請求の範囲」の記載内において種々の変更が可能であって、例えば、遮熱養生シート１の気泡プラスチックシート11の空気層11ａの構成は、エアセルラーや発泡樹脂シート、プラスチック段ボールなどを単独または複合的に積層して組み合わせることができ、本発明の技術的範囲に属する。
【符号の説明】
【００３９】
１    遮熱養生シート
11    気泡プラスチックシート
11ａ  空気層
12    金属薄膜層
２    コンクリート
３    型枠
４    養生シート
５    ポリエチレンラミネートクロスシート
Ａ    エアセルラー
【図１】
2013174047.tif 000003
【図２】
2013174047.tif 000004
【図３】
2013174047.tif 000005
【図４】
2013174047.tif 000006
【図５】
2013174047.tif 000007
【図６】
2013174047.tif 000008
【図７】
2013174047.tif 000009
【図８】
2013174047.tif 000010
【図９】
2013174047.tif 000011